Podtech/llm-jp-corpus-v4-ja_patent huggingface dataset:
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
ＮＣＩＭＢに受入番号ＮＣＩＭＢ  ４１７１５の下で寄託されたビフィドバクテリウム・ロングムの株ＡＨ１３６２。
【請求項２】
生存可能細胞の形態の請求項１に記載の株。
【請求項３】
生存不能細胞の形態の請求項１に記載の株。
【請求項４】
請求項１〜３のいずれか１項に記載の株を含む、配合物。
【請求項５】
プロバイオティクス材料をさらに含む、請求項４に記載の配合物。
【請求項６】
プレバイオティクス材料をさらに含む、請求項４または５に記載の配合物。
【請求項７】
摂取可能なキャリヤーをさらに含む、請求項４〜６のいずれか１項に記載の配合物。
【請求項８】
摂取可能なキャリヤーが、薬学的に許容可能なキャリヤー、例えばカプセル、錠剤または粉末である、請求項７に記載の配合物。
【請求項９】
摂取可能なキャリヤーが、食品製品、例えば酸性乳、ヨーグルト、冷凍ヨーグルト、粉乳、乳濃縮物、チーズスプレッド、ドレッシングまたは飲料である、請求項７に記載の配合物。
【請求項１０】
タンパク質および／もしくはペプチド、特にグルタミン／グルタミン酸に富むタンパク質および／もしくはペプチド、脂質、炭水化物、ビタミン、鉱質ならびに／または微量元素をさらに含む、請求項４〜９のいずれか１項に記載の配合物。
【請求項１１】
前記株が、配合物のグラムあたり１０６ｃｆｕより多い量で存在する、請求項４〜１０のいずれか１項に記載の配合物。
【請求項１２】
アジュバントをさらに含む、請求項４〜１１のいずれか１項に記載の配合物。
【請求項１３】
細菌性構成要素をさらに含む、請求項４〜１２のいずれか１項に記載の配合物。
【請求項１４】
薬物実体をさらに含む、請求項４〜１３のいずれか１項に記載の配合物。
【請求項１５】
生物学的化合物をさらに含む、請求項４〜１４のいずれか１項に記載の配合物。
【請求項１６】
請求項１に記載の株または請求項４〜１５のいずれか１項に記載の配合物を含む、凍結乾燥された組成物。
【請求項１７】
請求項１に記載の株、請求項４〜１５のいずれか１項に記載の配合物、または請求項１６に記載の組成物を含む、食品。
【請求項１８】
請求項１に記載の株、請求項４〜１５のいずれか１項に記載の配合物、または請求項１６に記載の組成物を含む、医薬品。
【請求項１９】
請求項１に記載の株、請求項４〜１５のいずれか１項に記載の配合物、または請求項１６に記載の組成物を含む、カプセル。
【請求項２０】
胃腸管中での制御された放出に適合している、請求項１９に記載のカプセル。
【請求項２１】
請求項１に記載の株、請求項４〜１５のいずれか１項に記載の配合物、または請求項１６に記載の組成物を含む、肥満または肥満関連メタボリックシンドロームの予防または処置における使用のための医薬組成物。
【請求項２２】
請求項１に記載の株、請求項４〜１５のいずれか１項に記載の配合物、または請求項１６に記載の組成物を含む、非アルコール性脂肪性肝疾患（ＮＡＦＬＤ）の予防または処置における使用のための医薬組成物。
【手続補正２】
【補正対象書類名】明細書
【補正対象項目名】００７５
【補正方法】変更
【補正の内容】
【００７５】
本明細書で引用された全ての文献は、関連する部分において、参照により本明細書に援用される。
本発明は、上記の態様に限定されず、それは、細部において変更されることができる。
ある態様において、本発明は以下であってもよい。
［態様１］ＮＣＩＭＢに受入番号ＮＣＩＭＢ  ４１７１５の下で寄託されたビフィドバクテリウム・ロングムの株ＡＨ１３６２。
［態様２］生存可能細胞の形態の態様１に記載の株。
［態様３］生存不能細胞の形態の態様１に記載の株。
［態様４］態様１〜３のいずれかに記載の株を含む、配合物。
［態様５］プロバイオティクス材料をさらに含む、態様４に記載の配合物。
［態様６］プレバイオティクス材料をさらに含む、態様４または５に記載の配合物。
［態様７］摂取可能なキャリヤーをさらに含む、態様４〜６のいずれか１に記載の配合物。
［態様８］摂取可能なキャリヤーが、薬学的に許容可能なキャリヤー、例えばカプセル、錠剤または粉末である、態様７に記載の配合物。
［態様９］摂取可能なキャリヤーが、食品製品、例えば酸性乳、ヨーグルト、冷凍ヨーグルト、粉乳、乳濃縮物、チーズスプレッド、ドレッシングまたは飲料である、態様７に記載の配合物。
［態様１０］タンパク質および／もしくはペプチド、特にグルタミン／グルタミン酸に富むタンパク質および／もしくはペプチド、脂質、炭水化物、ビタミン、鉱質ならびに／または微量元素をさらに含む、態様４〜９のいずれか１に記載の配合物。
［態様１１］前記株が、配合物のグラムあたり１０６ｃｆｕより多い量で存在する、態様４〜１０のいずれか１に記載の配合物。
［態様１２］アジュバントをさらに含む、態様４〜１１のいずれか１に記載の配合物。
［態様１３］細菌性構成要素をさらに含む、態様４〜１２のいずれか１に記載の配合物。
［態様１４］薬物実体をさらに含む、態様４〜１３のいずれか１に記載の配合物。
［態様１５］生物学的化合物をさらに含む、態様４〜１４のいずれか１に記載の配合物。
［態様１６］態様１に記載の株または態様４〜１５のいずれか１に記載の配合物を含む、凍結乾燥された組成物。
［態様１７］態様１に記載の株、態様４〜１５のいずれか１に記載の配合物、または態様１６に記載の組成物を含む、食品。
［態様１８］態様１に記載の株、態様４〜１５のいずれか１に記載の配合物、または態様１６に記載の組成物を含む、医薬品。
［態様１９］態様１に記載の株、態様４〜１５のいずれか１に記載の配合物、または態様１６に記載の組成物を含む、カプセル。
［態様２０］胃腸管中での制御された放出に適合している、態様１９に記載のカプセル。
［態様２１］肥満または肥満関連メタボリックシンドロームの予防または処置における使用のための、態様１に記載の株、態様４〜１５のいずれかに記載の配合物、または態様１６に記載の組成物。
［態様２２］非アルコール性脂肪性肝疾患（ＮＡＦＬＤ）の予防または処置における使用のための、態様１に記載の株、態様４〜１５のいずれかに記載の配合物、または態様１６に記載の組成物。
［態様２３］肥満を予防または処置する必要がある対象にＮＣＩＭＢに受入番号ＮＣＩＭＢ  ４１７１５の下で寄託されたビフィドバクテリウム・ロングムの株ＡＨ１３６２を含む組成物を投与することを含む、肥満を予防または処置するための方法。
［態様２４］肥満関連メタボリックシンドロームを予防または処置する必要がある対象にＮＣＩＭＢに受入番号ＮＣＩＭＢ  ４１７１５の下で寄託されたビフィドバクテリウム・ロングムの株ＡＨ１３６２を含む組成物を投与することを含む、肥満関連メタボリックシンドロームを予防または処置するための方法。
［態様２５］非アルコール性脂肪性肝疾患（ＮＡＦＬＤ）を予防または処置する必要がある対象にＮＣＩＭＢに受入番号ＮＣＩＭＢ  ４１７１５の下で寄託されたビフィドバクテリウム・ロングムの株ＡＨ１３６２を含む組成物を投与することを含む、非アルコール性脂肪性肝疾患（ＮＡＦＬＤ）を予防または処置するための方法。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
第１の主面と、前縁と、後縁とを有する基部と、
前記基部の前記第１の主面上に又はその上方にあって、退避位置から係合位置に移動することができ、前記退避位置は前記係合位置よりも前記後縁により近い、プッシャと、
前記基部の前記前縁の近くの前記基部の一部の上方に少なくとも部分的に配置された直立部材であって、前記直立部材と前記基部との間に空間を形成し、前記直立部材と前記基部との間の前記空間は、培養プレートが通過するのに十分な大きさの精密間隙を画定する、直立部材と、を備え、
前記プッシャ及び基部は、前記プッシャが前記退避位置にあるときに、前記基部は、前記基部の前記第１の主面の上に１枚以上の培養プレートを支持することができるように構成されており、前記１枚以上の培養プレートは、前記プッシャが退避位置にあるときに、前記プッシャの近くに配置可能な後縁と、前記プッシャの上に配置可能なスリップカバーとを有しており、
前記精密間隙の高さは、前記１枚以上の培養プレートの高さ以上、かつ前記１枚以上の培養プレートの前記高さの２倍未満であり、
前記プッシャは、前記退避位置から前記係合位置へと移動するときに、１枚の培養プレートのみを少なくとも部分的に前記精密間隙に押し込むように構成されている、培養プレート分配装置。
【請求項２】
前記基部は、あるスタック高さを有するスタックの１枚以上の培養プレートを支持することができ、
前記直立部材は、前記基部の前記第１の主面からの高さが、前記スタックの高さ以上である、請求項１に記載の培養プレート分配装置。
【請求項３】
前記１枚以上の培養プレートの各々はある高さを有し、
前記プッシャは、前記１枚以上の培養プレートの前記高さよりも低い高さを有する、請求項１又は２に記載の培養プレート分配装置。
【請求項４】
請求項１〜３のいずれか一項に記載の培養プレート分配装置と、
前記精密間隙を少なくとも部分的に通過した培養プレートを前記培養プレート分配装置から遠ざけて移動させるように配置された１つ以上のローラと、を備える、培養プレートローダ。
【請求項５】
請求項１〜３のいずれか一項に記載の培養プレート分配装置又は請求項４に記載の培養プレートローダを備える、培養プレートリーダ。
【請求項６】
培養プレートを分配する方法であって、
第１の主面と前縁と後縁とを有する基部上で、前記基部の背面に向かって、かつ基部上又はその上方に前記１枚以上の培養プレートに向かって配置された退避位置にあるプッシャと、部分的に前記基部の上方かつ前記基部の前記前縁に向かって配置された直立部材との間に、前記１枚以上の培養プレートの少なくとも１つの縁部に突出する突出部分を有するカバースリップを備える１枚以上の培養プレートを配置するステップであって、前記直立部材と前記基部との間の空間は、前記カバースリップのうちの少なくとも１つの前記突出部分が前記プッシャの上方になるように精密間隙を画定する、ステップと、
前記退避位置から、前記退避位置よりも前記基部の前記前縁により近い係合位置に移動するように前記プッシャを係合させ、それによって、１枚の培養プレートのみを前記精密間隙を通して押し出すステップと、を含む、方法。
【請求項７】
前記プッシャは２つ以上のタブの形態である、請求項６に記載の方法。
【請求項８】
各培養プレートはある高さを有し、前記精密間隙は、単一の培養プレートの高さよりも大きいが、２枚の培養プレートの高さよりも小さい高さを有する、請求項６又は７に記載の方法。
【請求項９】
前記１枚以上の培養プレートは、少なくとも１０枚の培養プレートを備え、
更に、少なくとも１０枚の培養プレートの各々の前記カバースリップの前記突出部分が、前記プッシャ上で同じ方向に向いている、請求項６〜８のいずれか一項に記載の方法。
【請求項１０】
培養プレートを培養プレートリーダに装填する方法であって、
請求項６〜９のいずれか一項に記載の方法によって培養プレートを分配するステップと、
前記培養プレートを前記基部から離れるように移動させるステップと、
前記培養プレートを前記培養プレートリーダの中に置くステップと、を含む、方法。
【請求項１１】
微生物コロニーを計数する方法であって、少なくとも１枚の接種した培養プレートを請求項１０に記載の方法によって培養プレートリーダに装填するステップと、前記接種した培養プレート上の前記微生物コロニーの少なくとも一部を計数するステップと、を含む、方法。
【請求項１２】
前記１枚以上の培養プレートは薄膜培養プレートである、請求項１〜５のいずれか一項に記載の分配装置。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
トレイ用のブランク、又はこのブランクから形成されたトレイであって、当該ブランクは、基部セクションと、２つの側部セクションと、前部セクションと、後部セクションと、を含み、各側部セクションは、前記基部の幅の６０％を超える幅を有する少なくとも一部分を含み、前記基部の長さは前記基部の前記幅の３００％を超えており、ある長さの弾性材料が、前記ある長さの弾性材料の端部において又は前記ある長さの弾性材料の端部に向かって当該ブランクに取り付けられており、前記取り付け部は、前記弾性体と前記側部の、前記各側部と前記基部との間のヒンジ線から、前記ヒンジ線から前記基部の前記幅の２５％の距離にある、前記ヒンジ線から垂直に間隔を開けた位置まで延びている前記側部の領域との間には存在しない、ブランク。
【請求項２】
前記弾性体は前記基部の長さに垂直にブランク上に位置している、請求項１に記載のブランク。
【請求項３】
前記側部の、前方に面するフラップを含み、前記前方に面するフラップはそれぞれ、前記弾性体に平行に配置されたヒンジ線を有し、前記前方に面するフラップは、前記弾性体を前記フラップと前記側壁との間に挟むために、前記弾性体に重なるように折ることが可能である、請求項１に記載のブランク。
【請求項４】
前記フラップは前記フラップ上に、前記折り線に対し３０°〜６０°の角度を成した、角度を成した縁端部を有する、請求項３に記載のブランク。
【請求項５】
前部セクションが前壁であり、後部セクションが後壁であり、前記側壁は両方とも、折り線と少なくとも１つの切り込みとによって画定される折ることが可能なフラップを含み、前記折ることが可能なフラップは、前記トレイの内部に折られると、背部に面する突起を提供する、請求項１に記載のブランク。
【請求項６】
前記突起又は前記突起の少なくとも一部分は、前記基部と前記側壁との間の前記ヒンジ線に垂直である、請求項５に記載のブランク。
【請求項７】
一部又は完全組み立て済みトレイであって、基部と、２つの側壁と、ある長さの弾性体と、を含み、前記ある長さの弾性体は、前記側壁を下って当該トレイの背部に向かって後方へと伸張させており、前記弾性体は、裏板によって、前記弾性体の伸張された状態に対応付けられているとともに拘束されており、前記裏板は、当該トレイのほぼ前部の方を向いている前縁部を有し、前記前縁部は、前記側壁上又は前記側壁内に形成された突起に係合している、請求項１に記載のトレイ。
【請求項８】
前記突起は、前記側壁の折られるフラップによって形成されている、請求項７に記載のトレイ。
【請求項９】
一部折られたトレイであって、基部と、２つの側壁と、前壁と、完全に組み立てられ、製品が充填された当該トレイ内の製品に付勢力を付与するための弾性部材と、を含み、前記側壁は前部に面する縁端部を有し、前記前部に面する縁端部は、前記前部に面する縁端部から遠ざかる方に当該トレイの前記前部に向かって延びる、前方に延びる指部を有し、前記指部は、前記弾性部材がほぼ張力がかけられていない状態で前記側壁間に延びると、前記指部は前記弾性部材と位置合わせし、当該トレイ内の前記弾性部材に張力をかける前に前記弾性部材に支持を与えるように配置されている、請求項１に記載の一部折られたトレイ。
【請求項１０】
前記前壁は、前記前壁を前記側壁に取り付けるための２つの取付タブを有する、請求項９に記載のトレイ。
【請求項１１】
前部基部セクションが基部であり、２つの側部セクションが２つの側壁であり、前部セクションが前壁であり、前部セクションが前壁であり、前記ある長さの弾性体は前記前壁を形成する当該ブランクの前記パネルの前記側部へと延びる取付タブに取り付けられ、前記ある長さの弾性体は、前記タブに、前記タブの自由端に向かって取り付けられているが、前記タブと前記前壁との間の前記ヒンジ線から延びている前記タブの第１の長さの範囲内には取り付けられず、前記第１の長さは、前記基部の幅の少なくとも２５％の長さを有する、請求項１に記載のブランク。
【請求項１２】
前部基部セクションが基部であり、２つの側部セクションが２つの側壁であり、前部セクションが前壁であり、前部セクションが前壁であり、前記ある長さの弾性体の２つの端部部分は、当該トレイの側部に配置された当該トレイの一部分に入れられた各スロット内に捕捉され、前記スロットの両側のブランクの材料の硬さ又は剛性が、前記ある長さの弾性体の捕捉部を、当該トレイの前記側壁に対して固定するためのグリップを提供する、請求項１に記載のトレイ。
【請求項１３】
前部基部セクションが基部であり、２つの側部セクションが２つの側壁であり、前部セクションが前壁であり、前部後部セクションが後壁であり、前記２つの側壁には、弾性部材の長さを収容するためのスロットが設けられており、前記弾性部材は、当該トレイの内部に、前記２つのスロットの間に延び、その後、これら前記スロットから後方に、前記２つの側部の外側の周りを後方に、及び当該トレイの前記後部の外側の周りに延びる弾性体のループである、請求項１に記載のトレイ。
【請求項１４】
前記２つの側部は、弾性体の長さを収容するためのスロットを含み、前記ある長さの弾性体の２つの端部部分が前記スロット内に捕捉されるように、前記スロットは、前記ある長さの弾性体を把持するような大きさにされており、前記スロットの両側のブランクの材料の硬さ又は剛性が、前記ある長さの弾性体の捕捉部を、組み立て済みトレイにおける当該トレイの前記側壁に対して固定するためのグリップを提供する、請求項１に記載のトレイ。
【請求項１５】
請求項１に記載のトレイ用の製品プッシャ挿入物であって、２つの分離した又は分離可能な部材を含み、前記２つの分離した又は分離可能な部材はそれぞれ、ある長さの弾性体の端部部分に取り付けられており、前記部材は、前記弾性体の端部部分及び前記部材を、前記弾性体の端部部分及び前記部材の他端に対して折るための、折ることが可能な端部を有する、製品プッシャ挿入物。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
歯列矯正器具であって、
患者の歯の後ろに配置されるように構成されたアーチ状部材と
前記アーチ状部材から延びる複数のアームと、を含み、
前記複数のアームのそれぞれが、前記歯の１本に結合されるように構成されたコネクタ部を含み、
前記アーチ状部材と、前記複数のアームのうちの少なくともいくつかのアームが３次元一体構造を構成する、歯列矯正器具。
【請求項２】
複数の固定部材をさらに備え、
前記複数の固定部材のそれぞれが、前記歯の１本に配置されるように構成され、
前記複数のアームそれぞれの前記コネクタ部が、前記複数の固定部材のうちの対応する１つの固定部材によって前記歯の１本に結合されるように構成される、請求項１に記載の歯列矯正器具。
【請求項３】
前記複数のアームのそれぞれが、前記コネクタ部の近くにばね部材を含む、請求項１に記載の歯列矯正器具。
【請求項４】
前記ばね部材は前記３次元一体構造の一部を構成する、請求項３に記載の歯列矯正器具。
【請求項５】
前記ばね部材はニチノールを含む、請求項３に記載の歯列矯正器具。
【請求項６】
前記複数のアームが、
第１形状を有する第１のばね部材を含む第１のアームと、
前記第１形状とは異なる第２形状を有する第２のばね部材を含む第２のアームと、を含む、請求項１に記載の歯列矯正器具。
【請求項７】
前記複数のアームが、
第１の厚さを有する第１のばね部材を含む第１のアームと、
前記第１の厚さとは異なる第２の厚さを有する第２のばね部材を含む第２のアームと、を含む、請求項１に記載の歯列矯正器具。
【請求項８】
前記複数のアームが、
第１の長さを有する第１のアームと、
前記第１の長さとは異なる第２の長さを有する第２のアームと、を含む、請求項１に記載の歯列矯正器具。
【請求項９】
前記アーチ状部材は、前記患者による取り外しが不可能である、請求項１に記載の歯列矯正器具。
【請求項１０】
患者の歯を再配置するための歯列矯正器具であって、
患者の顎のアーチに沿って延びるように構成されたアーチ状部材と、
前記アーチ状部材から突出する複数のアームと、を含み、
前記複数のアームのそれぞれが、
ばね部と、
前記ばね部から離れて位置し、前記歯の１本に結合されるように構成されたコネクタ部と、を含み、
前記アーチ状部材と、前記複数のアームのうちの少なくともいくつかのアームが、一体構造を構成する、歯列矯正器具。
【請求項１１】
前記アーチ状部材および前記複数のアームの一部が略同一の厚さを有する、請求項１０に記載の歯列矯正器具。
【請求項１２】
前記一体構造が３次元構造を含む、請求項１０に記載の歯列矯正器具。
【請求項１３】
前記一体構造が、所定の３次元形状となるように構成された熱処理構造を有する、請求項１０に記載の歯列矯正器具。
【請求項１４】
前記コネクタ部がＴ字形コネクタ要素を含む、請求項１０に記載の歯列矯正器具。
【請求項１５】
前記複数のアームのうちの１つ以上のアームが形状記憶材料を含む、請求項１０に記載の歯列矯正器具。
【請求項１６】
前記複数のアームのうちの１つ以上のアームがニチノールを含む、請求項１０に記載の歯列矯正器具。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
６つの衛星のコンステレーションであって、前記衛星のうち３つが第１の軌道で周回し、且つ前記衛星のうち他の３つが第２の軌道で周回する衛星のコンステレーションと、
前記６つの衛星のコンステレーションとの間で信号を送受信するように構成される少なくとも１つの基地局と
を備え、
前記第１の軌道は、約７０°から９０°の間の軌道傾斜角、北半球上の遠地点、高エネルギ陽子の内側バンアレン帯を回避する近地点、及び０．２８より大きく０．４５より小さい軌道離心率を有し、
前記第２の軌道は、約７０°から９０°の間の軌道傾斜角、南半球上の遠地点、高エネルギ陽子の内側バンアレン帯を回避する近地点、及び０．２８より大きく０．４５より小さい軌道離心率を有し、
前記第１の軌道の長径は、前記第２の軌道の長径と実質的に一致しており、前記第１の軌道及び前記第２の軌道の平面は、互いに対して直交している、グローバルカバレッジのための衛星システム。
【請求項２】
前記第１の軌道及び前記第２の軌道の各々の前記軌道離心率及び前記軌道傾斜角は、少なくとも１０°の仰角で９９％のグローバルカバレッジを提供するように選択される、請求項１に記載のシステム。
【請求項３】
前記第１の軌道及び前記第２の軌道の各々の前記軌道傾斜角は、約８０°から９０°の間である、請求項１又は２に記載のシステム。
【請求項４】
前記第１の軌道及び前記第２の軌道の各々の前記軌道傾斜角は、約９０°である、請求項１〜３の何れか１項に記載のシステム。
【請求項５】
前記第１の軌道及び前記第２の軌道の各々の前記軌道離心率及び前記軌道傾斜角は、少なくとも８．７°の仰角で連続的グローバルカバレッジを提供するように選択される、請求項１〜４の何れか１項に記載のシステム。
【請求項６】
前記第１の軌道及び前記第２の軌道の各々の前記軌道離心率は、約０．３０から０．３４の間である、請求項１〜５の何れか１項に記載のシステム。
【請求項７】
前記衛星は、１恒星日の軌道周期を有する、請求項１〜６の何れか１項に記載のシステム。
【請求項８】
前記衛星のフェージングは、各遠地点の間の時間が近似的に前記軌道における衛星の数によって分割される軌道周期になるようにされる、請求項１〜７の何れか１項に記載のシステム。
【請求項９】
前記衛星と前記基地局との間の通信のために指向性アンテナが使用される、請求項１〜８の何れか１項に記載のシステム。
【請求項１０】
前記第１の軌道及び前記第２の軌道の各々の前記軌道離心率及び前記軌道傾斜角は、１５年にわたって５０ｋｒａｄの放射線暴露をもたらすように選択され、従来型のＧＥＯ衛星遮蔽の利用を可能にする、請求項１〜９の何れか１項に記載のシステム。
【請求項１１】
グローバルカバレッジを有する地球観測及び通信のための衛星システムを動作させる方法であって、
６つの衛星のコンステレーションを提供するステップであって、前記衛星のうち３つが第１の軌道で周回し、且つ前記衛星のうち他の３つが第２の軌道で周回するステップと、
前記６つの衛星のコンステレーションとの間で信号を送受信するための少なくとも１つの基地局を提供するステップと
を含み、
前記第１の軌道は、約７０°から９０°の間の軌道傾斜角、北半球上の遠地点、高エネルギ陽子の内側バンアレン帯を回避する近地点、及び約０．２８より大きく０．４５より小さい軌道離心率を有し、
前記第２の軌道は、約７０°から９０°の間の軌道傾斜角、南半球上の遠地点、高エネルギ陽子の内側バンアレン帯を回避する近地点、及び約０．２８より大きく０．４５より小さい軌道離心率を有し、
前記第１の軌道の長径は、前記第２の軌道の長径と実質的に一致しており、前記第１の軌道及び前記第２の軌道の平面は、互いに対して直交している、方法。
【請求項１２】
前記第１の軌道及び前記第２の軌道の各々の前記軌道傾斜角は、約８０°から９０°の間である、請求項１１に記載の方法。
【請求項１３】
前記第１の軌道及び前記第２の軌道の各々の前記軌道離心率は、約０．３０から０．３４の間である、請求項１１又は１２に記載の方法。
【請求項１４】
前記衛星は、１恒星日の軌道周期を有する、請求項１１〜１３の何れか１項に記載の方法。
【請求項１５】
前記衛星のフェージングは、各遠地点の間の時間が近似的に前記軌道における衛星の数によって分割される軌道周期になるようにされる、請求項１１〜１４の何れか１項に記載の方法。
【請求項１６】
６つの衛星のコンステレーションとの間で信号を送受信するための通信システムであって、前記６つの衛星のコンステレーションはグローバルカバレッジを提供する通信システムと、
前記６つの衛星のコンステレーションを制御するための飛行制御システムと
を備え、
前記衛星のうち３つが第１の軌道で周回し、且つ前記衛星のうち他の３つが第２の軌道で周回し、
前記第１の軌道は、地球の第１の極に対する約７０°から９０°の間の軌道傾斜角、約０．２７５より大きくから０．４５より小さい軌道離心率、及び高エネルギ陽子の内側バンアレン帯を回避する近地点を有し、
前記第２の軌道は、地球の第２の極に対する約７０°から９０°の間の軌道傾斜角、約０．２７５より大きく０．４５より小さい軌道離心率、及び高エネルギ陽子の内側バンアレン帯を回避する近地点を有し、
前記第１の軌道の長径は、前記第２の軌道の長径と実質的に一致しており、前記第１の軌道及び前記第２の軌道の平面は、実質的に互いに対して直交している、衛星基地局。
【請求項１７】
前記第１の軌道及び前記第２の軌道の各々の前記軌道傾斜角は、約８０°から９０°の間である、請求項１６に記載の衛星基地局。
【請求項１８】
前記第１の軌道及び前記第２の軌道の各々の前記軌道離心率は、約０．３０から０．３４の間である、請求項１６又は１７に記載の衛星基地局。
【請求項１９】
前記衛星の各々は、１恒星日の軌道周期を有する、請求項１６〜１８の何れか１項に記載の衛星基地局。
【請求項２０】
前記衛星のフェージングは、各遠地点の間の時間が近似的に前記軌道における衛星の数によって分割される軌道周期になるようにされる、請求項１６〜１９の何れか１項に記載の衛星基地局。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
式：
【化３２８】
2018536661.tif 000001
の化合物またはその薬学的に受容可能な塩であって、該式において：
Ｒ１は、−ＣＨ３、−ＣＨＣＦ２、または−ＣＦ３であり；
Ｒ３は、
【化３２９】
2018536661.tif 000002
であり；
Ｒ９は、水素、メチル、エチル、プロピル、イソプロピル、ブチル、第三級ブチル、−ＣＨ２ＣＨ２ＯＨ、−ＣＨ２ＣＣＨ、−ＣＨ２ＣＨ２ＣＣＨ、−ＣＨ２ＣＨＣＨ２、−ＣＨ２ＣＨＣ（ＣＨ３）２、−ＣＨ２ＣＮ、−ＣＨ２ＣＨ２ＣＮ、−ＣＯＣＨ３、−ＣＨ２−シクロプロピル、−ＣＨ２ＣＨ２ＳＣＨ３、−ＣＨ２ＣＨ２ＯＣＨ３、−ＣＨ２ＣＨ２ＣＯＯＣＨ３、−ＣＨ２ＣＯＯＣＨ３、−ＣＯＯＣＨ３、ＣＨ２ＣＨ２ＳＯ２ＣＨ３、−ＣＨ２ＣＯＮＨ２、
【化３３０】
2018536661.tif 000003
であり；
Ｒ４は、
【化３３１】
2018536661.tif 000004
であり；
ここでＸは、Ｈ、Ｆ、Ｃｌ、Ｂｒ、ＣＮ、ＣＦ３、メチル、エチル、イソプロピル、シクロプロピル、−ＳＯ２Ｍｅ、−ＯＣＦ２Ｈ、−ＣＦ２Ｈ、−ＯＣＦ３、または−ＯＣＦ２Ｈであり、Ｙは、必要に応じて置換されたアルキル、シアノメチル、シアノエチル、またはメトキシエチルであり、そしてＴは独立して、Ｈ、Ｆ、Ｃｌ、またはメチルであり；そして
Ｌ１は、−ＣＨ（ＣＨ３）、−Ｃ（ＣＨ３）２、または−ＣＨ２である、
化合物またはその薬学的に受容可能な塩。
【請求項２】
【化３３２】
2018536661.tif 000005
から選択される化合物。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
式：
【化１４６】
2018536660.tif 000001
の化合物またはその薬学的に受容可能な塩であって、該式において：
Ｒ１は、−ＣＨ３、−ＣＨＣＦ２、または−ＣＦ３であり；
Ｒ２は
【化１４７】
2018536660.tif 000002
であり；
Ｒ３は
【化１４８】
2018536660.tif 000003
であり；
Ｒ４は、水素、メチル、エチル、プロピル、ブチル、第三級ブチル、−ＣＨ２ＣＨ２ＯＨ、−ＣＨ２ＣＨＣＨ、−ＣＨ２ＣＨ２ＣＣＨ、−ＣＨ２ＣＨＣＨ２、−ＣＨ２ＣＨＣ（ＣＨ３）２、−ＣＨ２ＣＮ、−ＣＨ２ＣＨ２ＣＮ、−ＣＨ２ＣＯＣＨ３、−ＣＨ２−シクロプロピル、−ＣＨ２ＣＨ２ＳＣＨ３、−ＣＨ２ＣＨ２ＯＣＨ３、−ＣＨ２ＣＨ２ＣＯＯＣＨ３、−ＣＨ２ＣＯＯＣＨ３、−ＣＯＯＣＨ３、−ＣＨ２ＣＨ２ＳＯ２ＣＨ３、−ＣＨ２ＣＯＮＨ２、
【化１４９】
2018536660.tif 000004
であり；
Ｒ５は
【化１５０】
2018536660.tif 000005
であり；
ここでＸは、Ｈ、Ｆ、Ｃｌ、Ｂｒ、ＣＮ、ＣＦ３、メチル、エチル、イソプロピル、シクロプロピル、−ＳＯ２Ｍｅ、−ＯＣＦ２Ｈ、−ＣＦ２Ｈ、−ＯＣＦ３、または−ＯＣＦ２Ｈであり、Ｙは、必要に応じて置換されたアルキル、シアノメチル、シアノエチル、またはメトキシエチルであり、そしてＴは独立して、Ｈ、Ｆ、Ｃｌ、またはメチルであり；
ここでＡは独立して、Ｈ、ＣＨ３、ＣＨ２ＣＨ３、ＣＨＣＦ３、ＣＨ２ＣＦ２Ｈ、プロピル、イソプロピル、ブチル、シクロプロピル、第三級ブチル、イソブチル、ネオペンチル、またはシアノエチルであり；そして
Ｌ１は、−ＣＨ（ＣＨ３）、−Ｃ（ＣＨ３）２、−ＣＨ２、
【化１５１】
2018536660.tif 000006
である、
化合物またはその薬学的に受容可能な塩。
【請求項２】
【化１５２】
2018536660.tif 000007
から選択される化合物。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
経皮パッチをコーティングするのに好適な調製製剤であって、アバロパラチドと、ＺｎＣｌ２を含む賦形剤とを含む調製製剤。
【請求項２】
複数の微小突起を含む経皮パッチであって、アレイ内の少なくとも１つの微小突起は、少なくとも部分的にコーティングにより被覆され、前記コーティングは、アバロパラチドと、ＺｎＣｌ２を含む賦形剤とを含む経皮パッチ。
【請求項３】
前記微小突起は、微小針である、請求項２に記載の経皮パッチ。
【請求項４】
(i)前記アバロパラチドに対する前記賦形剤のモル比は、０．１から２．０である；
(ii)前記アバロパラチドに対する前記賦形剤のモル比は、０．２から１．５である；および／または
(iii)前記アバロパラチドに対する前記賦形剤のモル比は、０．２５から１．０である、
請求項１に記載の調製製剤または請求項２または３に記載の経皮パッチ。
【請求項５】
前記アバロパラチドは、９０〜１１０μｇ、１４０〜１６０μｇ、１８５〜２２０μｇ、２２５〜２７５μｇの量、または約１００μｇ、約１５０μｇ、約２００μｇもしくは約２５０μｇの量で前記アレイ上に存在する、請求項２〜４のいずれか一項に記載の経皮パッチ。
【請求項６】
対象における骨粗しょう症、骨減少、変形性関節炎、および骨折からなる群から選択される状態の治療において使用するための、請求項４〜５のいずれか一項に記載の経皮パッチ。
【請求項７】
脊椎、非脊椎、臨床的、および大きな骨粗しょう症性骨折の予防において使用するための、請求項４〜５のいずれか一項に記載の経皮パッチ。
【請求項８】
対象における骨ミネラル濃度（ＢＭＤ）の改善、骨梁スコア（ＴＢＳ）の改善、および／または骨折の低減において使用するための、請求項４〜５のいずれか一項に記載の経皮パッチ。
【請求項９】
(i)前記パッチは、３００〜７５０個の微小突起を含む；
(ii)前記使用は、患者の角質層に微小突起の１つ以上を突き通すのに十分な力を経皮パッチに印加することを含む；および／または
(iii)使用部位は、腹部または大腿部である、
請求項６〜８のいずれか一項に記載の経皮パッチ。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
ステロール調節エレメント結合タンパク質（ＳＲＥＢＰ）シャペロン（ＳＣＡＰ）遺伝子の発現を阻害するための二本鎖リボ核酸（ＲＮＡｉ）剤であって、
二本鎖領域を形成するセンス鎖とアンチセンス鎖とを含み、
前記センス鎖が、配列番号１〜１３のヌクレオチド配列のいずれか１つと３ヌクレオチド以下だけ異なる少なくとも１５の連続ヌクレオチドを含み、および前記アンチセンス鎖が、配列番号１４〜２６のヌクレオチド配列のいずれか１つと３ヌクレオチド以下だけ異なる少なくとも１５の連続ヌクレオチドを含み，
前記センス鎖の前記ヌクレオチドの実質的に全部が、２’−Ｏ−メチル修飾および２’−フルオロ修飾からなる群から選択される修飾を含み、
前記センス鎖が、５’末端に２つのホスホロチオエートヌクレオチド間結合を含み，
前記アンチセンス鎖の前記ヌクレオチドの実質的に全部が、２’−Ｏ−メチル修飾および２’−フルオロ修飾からなる群から選択される修飾を含み、
前記アンチセンス鎖が、５’末端に２つのホスホロチオエートヌクレオチド間結合と、３’末端に２つのホスホロチオエートヌクレオチド間結合とを含み、
前記センス鎖が、３’末端で分枝状の二価または三価のリンカーを介して結合された１つ以上のＧａｌＮＡｃ誘導体に共役されている、二本鎖ＲＮＡｉ剤。
【請求項２】
前記センス鎖が、配列番号２のヌクレオチド３４５〜３６３、３７８〜３９６、３８３〜４０１、４０２〜４２０、４３７〜４５５、４５８〜４７６、４９１〜５０９、１０１４〜１０３２、１２３７〜１２５５、１２４３〜１２６１、１２５９〜１２７７、１３１８〜１３３６、１３２３〜１３４１、１４９７〜１５１５、１５７１〜１５８９、１５８８〜１６０６、１６０５〜１６２３、１７２５〜１７４３、１７６７〜１７８５、１９４６〜１９６４、２００４〜２０２２、２１６０〜２１７８、２１９３〜２２１１、２２１７〜２２３５、２５１７〜２５３５、２５４７〜２５６５、２６１６〜２６３４、２６６３〜２６８１、２７１７〜２７３５、２７３４〜２７５２、２７５１〜２７６９、２８７４〜２８９２、２８８５〜２９０３、２９９８〜３０１６、３２７６〜３２９４、３２９２〜３３１０、３３２５〜３３４３、３３４２〜３３６０、３４２０〜３４３８、３４６９〜３４８７、３４７８〜３４９６、３５３３〜３５５１、３５４９〜３５６７、３５６５〜３５８３、３５７９〜３５９７、３６２２〜３６４０、３６６７〜３６８５、３７７１〜３７８９、３７８８〜３８０６、３８７１〜３８８９、３８９１〜３９０９、３９０４〜３９２２、３９２１〜３９３９、４００２〜４０２０、４０１０〜４０２８、４０２７〜４０４５、４０７５〜４０９３、４１２９〜４１４７、４１４５〜４１６３、４１４９〜４１６７、４１６８〜４１８６、４１８４〜４２０２および４１９７〜４２１５のヌクレオチド配列と３ヌクレオチド以下だけ異なる少なくとも１５の連続ヌクレオチドを含む、請求項１に記載の二本鎖リボ核酸（ＲＮＡｉ）剤。
【請求項３】
前記アンチセンス鎖が、表５および表６に列挙されるとおりのＡＤ−７７６３３、ＡＤ−７７６３１、ＡＤ−７７６３０、ＡＤ−７７６２９、ＡＤ−７７６２７、ＡＤ−７７６２５、ＡＤ−７７６２４、ＡＤ−７７５８７、ＡＤ−７７５７３、ＡＤ−７７５７２、ＡＤ−７７５７１、ＡＤ−７７５６７、ＡＤ−７７５６６、ＡＤ−７７７３８、ＡＤ−７７７３１、ＡＤ−７７７３０、ＡＤ−７７７２９、ＡＤ−７７７２１、ＡＤ−７７７１８、ＡＤ−７７７０６、ＡＤ−７７７０１、ＡＤ−７７６９０、ＡＤ−７７６８８、ＡＤ−７７６８６、ＡＤ−７７６６９、ＡＤ−７７６６７、ＡＤ−７７６６２、ＡＤ−７７６６０、ＡＤ−７７６５６、ＡＤ−７７６５５、ＡＤ−７７６５４、ＡＤ−７７５５５、ＡＤ−７７５５４、ＡＤ−７７５４７、ＡＤ−７７５３０、ＡＤ−７７５２９、ＡＤ−７７５２７、ＡＤ−７７５２６、ＡＤ−７７５２１、ＡＤ−７７５１９、ＡＤ−７７５１８、ＡＤ−７７５１４、ＡＤ−７７５１３、ＡＤ−７７５１２、ＡＤ−７７５１０、ＡＤ−７７５０７、ＡＤ−７７５０５、ＡＤ−７７４９９、ＡＤ−７７４９８、ＡＤ−７７４９４、ＡＤ−７７４９２、ＡＤ−７７４９１、ＡＤ−７７４９０、ＡＤ−７７４８６、ＡＤ−７７４８５、ＡＤ−７７４８４、ＡＤ−７７４８３、ＡＤ−７７４７９、ＡＤ−７７４７８、ＡＤ−７７４７７、ＡＤ−７７４７６、ＡＤ−７７４７５およびＡＤ−７７４７４からなる群から選択される二重鎖のアンチセンスヌクレオチド配列と３ヌクレオチド以下だけ異なる少なくとも１５の連続ヌクレオチドを含む、請求項１または２に記載の二本鎖リボ核酸（ＲＮＡｉ）剤。
【請求項４】
各鎖が１９〜３０ヌクレオチドを有する、請求項１〜３のいずれか一項に記載の二本鎖ＲＮＡｉ剤。
【請求項５】
請求項１〜４のいずれか一項に記載の二本鎖ＲＮＡｉ剤を含有する細胞。
【請求項６】
請求項１〜４のいずれか一項に記載の二本鎖ＲＮＡｉ剤を含む、ＳＣＡＰ遺伝子の発現を阻害するための医薬組成物。
【請求項７】
細胞におけるステロール調節エレメント結合タンパク質（ＳＲＥＢＰ）シャペロン（ＳＣＡＰ）遺伝子の発現を阻害するための組成物であって、請求項１〜４のいずれか一項に記載の二本鎖ＲＮＡｉ剤または請求項６に記載の医薬組成物を含む、組成物。
【請求項８】
前記細胞が対象内にある、請求項７に記載の組成物。
【請求項９】
前記対象がヒトである、請求項８に記載の組成物。
【請求項１０】
前記ヒト対象がＳＣＡＰ関連障害に罹患している、請求項９に記載の組成物。
【請求項１１】
前記ＳＣＡＰ関連疾患が非アルコール性脂肪性肝疾患（ＮＡＦＬＤ）、脂肪肝（脂肪症）および非アルコール性脂肪性肝炎（ＮＡＳＨ）からなる群から選択される、請求項１０に記載の組成物。
【請求項１２】
前記ＳＣＡＰ発現が少なくとも約３０％だけ阻害される、請求項７〜１１のいずれか一項に記載の組成物。
【請求項１３】
前記対象に追加の療法剤を投与することをさらに含む、請求項７〜１２のいずれか一項に記載の組成物。
【請求項１４】
前記二本鎖ＲＮＡｉ剤が約０．０１ｍｇ／ｋｇ〜約５０ｍｇ／ｋｇの用量で投与される、請求項７〜１３のいずれか一項に記載の組成物。
【請求項１５】
前記二本鎖ＲＮＡｉ剤が前記対象に皮下投与される、請求項７〜１４のいずれか一項に記載の組成物。
【請求項１６】
細胞におけるステロール調節エレメント結合タンパク質（ＳＲＥＢＰ）シャペロン（ＳＣＡＰ）遺伝子の発現を阻害するためのキットであって、
ａ）請求項７〜１５のいずれか一項に記載の組成物と、
ｂ）使用説明書と、
ｃ）任意選択で、前記対象に前記二本鎖ＲＮＡｉ剤を投与する手段と
を含むキット。
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
ＥＧＦＲの遮断に耐性のある腫瘍の成長の阻害または減衰方法で使用するためのＥＧＦＲ阻害剤及びＦＧＦＲ阻害剤を含む医薬組成物であって、前記方法は、ＥＧＦＲ耐性腫瘍を有する対象に医薬組成物を投与することを含む、前記医薬組成物。
【請求項２】
前記ＥＧＦＲ阻害剤が、抗ＥＧＦＲ抗体またはその断片である、請求項１に記載の医薬組成物。
【請求項３】
前記ＥＧＦＲ阻害剤が、ＥＧＦＲの小分子チロシンキナーゼ阻害剤である、請求項１に記載の医薬組成物。
【請求項４】
前記ＦＧＦＲ阻害剤が、抗ＦＧＦＲ抗体またはその断片である、請求項１に記載の医薬組成物。
【請求項５】
前記ＦＧＦＲ阻害剤が、ＦＧＦＲの小分子チロシンキナーゼ阻害剤である、請求項１に記載の医薬組成物。
【請求項６】
前記ＦＧＦＲ阻害剤が、ＦＧＦＲ３阻害剤である、請求項１〜５のいずれか一項に記載の医薬組成物。
【請求項７】
前記方法が、前記対象にＥｒｂＢ３阻害剤を投与することをさらに含む、請求項１〜６のいずれか一項に記載の医薬組成物。
【請求項８】
前記ＥｒｂＢ３阻害剤が、抗ＥｒｂＢ３抗体またはその断片である、請求項７に記載の医薬組成物。
【請求項９】
前記ＥｒｂＢ３阻害剤が、ＥｒｂＢ３の小分子チロシンキナーゼ阻害剤である、請求項８に記載の医薬組成物。
【請求項１０】
前記ＥＧＦＲ小分子チロシンキナーゼ阻害剤が、エルロチニブＨＣＬ、ゲフィチニブ、ラパチニブ、アファチニブ、カネルチニブ、ラパチニブ、ダコミチニブ、ＷＺ４００２、ＡＺＤ８９３１、ＣＵＤＣ−１０１、ＡＧ−１４７８、ＰＤ１５３０３５、ＡＥＥ７８８、ＡＣ４８０、ＯＳＩ−４２０、ＷＺ３１４６、ＡＳＴ−１３０６、バルリチニブ、イコチニブ、ＴＡＫ−２８５、ＷＨＩ−Ｐ１５４、ＰＤ１６８３９３、ＣＮＸ−２００６、アファチニブジマレイン酸塩（ａｆａｔｉｎｉｂ  ｄｉｍａｌｅａｔｅ）、ＣＬ−３８７７８５、ポジオチニブ、オシメルチニブ、ＡＺ５１０４、または前述のうちのいずれかの組み合わせから選択される、請求項３に記載の医薬組成物。
【請求項１１】
前記ＦＧＦＲが、ＦＧＦＲ１であり、前記小分子チロシンキナーゼ阻害剤が、ポナチニブ、ＢＧＪ３９８、ニンテダニブ、ＰＤ１７３０７４、ドビチニブ、ＡＺＤ４５４７、ダヌセルチブ、ブリバニブ、ドビチニブ二乳酸、ＭＫ−２４６１、ブリバニブアラニネート、ＳＵ５４０２、ドビチニブ乳酸塩、ＣＨ５１８３２８４、ＬＹ２８７４４５５、または前述のうちのいずれかの組み合わせから選択される、請求項５に記載の医薬組成物。
【請求項１２】
前記ＦＧＦＲが、ＦＧＦＲ２であり、前記小分子チロシンキナーゼ阻害剤が、ＢＧＪ３９８、ニンテダニブ、ＡＺＤ４５４７、ＭＫ−２４６１、ＣＨ５１８３２８４、ＬＹ２８７４４５５、または前述のうちのいずれかの組み合わせから選択される、請求項５に記載の医薬組成物。
【請求項１３】
前記ＦＧＦＲ３小分子チロシンキナーゼ阻害剤が、ＢＧＪ３９８、ニンテダニブ、ドビチニブ、ＡＺＤ４５４７、ドビチニブ二乳酸、ＭＫ−２４６１、ドビチニブ乳酸塩、ＣＨ５１８３２８４、ＬＹ２８７４４５５、ＰＫＣ４１２、または前述のうちのいずれかの組み合わせから選択される、請求項６に記載の医薬組成物。
【請求項１４】
前記ＦＧＦＲが、ＦＧＦＲ４であり、前記小分子チロシンキナーゼ阻害剤が、ＢＧＪ３９８、ＢＬＵ９９３１、及びＬＹ２８７４４５５、または前述のうちのいずれかの組み合わせから選択される、請求項５に記載の医薬組成物。
【請求項１５】
前記ＥｒｂＢ３小分子チロシンキナーゼ阻害剤が、サピチニブ、バルリチニブ、カネルチニブ、アムバチニブ、または前述のうちのいずれかの組み合わせから選択される、請求項９に記載の医薬組成物。
【請求項１６】
ＥＧＦＲの前記遮断に耐性のある前記腫瘍が、扁平上皮癌、腺癌、咽頭癌、非小細胞肺癌、結腸直腸癌、脳癌、膀胱癌、または膵臓癌である、請求項１に記載の医薬組成物。
【請求項１７】
前記腫瘍が、ＦＧＦＲ３−ＴＡＣＣ３融合タンパク質を有する、請求項１〜１６のいずれか一項に記載の医薬組成物。
【誤訳訂正書】
【提出日】令和1年12月24日(2019.12.24)
【誤訳訂正１】
【訂正対象書類名】明細書
【訂正対象項目名】００５４
【訂正方法】変更
【訂正の内容】
【００５４】
前記シャンプー組成物は、一種または複数の更に別の化粧学的に許容可能な成分（Ｆ）も含み、これは、該シャンプー組成物の全重量の少なくとも０．５重量％または０．５〜２０重量％の量で存在することができる。好ましくは、成分（Ｆ）は、洗浄性構成分、酸性度調節剤、着色剤、更に別のコンディショニング剤、乳化剤、造膜剤、フレグランス、艶出し剤、ヒューメクタント、潤滑剤、保湿剤、顔料、防腐剤、毛髪浸透増強剤、スカルプアクティブ、安定化剤、更に別の界面活性剤、増粘剤、粘度調節剤、及びこれらの組み合わせからなる群から選択される。より好ましくは、成分（Ｆ）は、界面活性剤、粘度調節性ポリマー及びコンディショニング構成分からなる群から選択される。少なくとも一つの態様では、該シャンプー組成物は、１〜２０重量％の一種または複数のオリゴエステルアンモニウム塩（ＯＡＳ）を含み、及び少なくとも０．５重量％の、界面活性剤、ポリマー、コンディショニング剤、有効成分、酸性度調節剤、潤滑剤、保湿剤、油、防腐剤、金属イオン封鎖剤、強化剤、サンプロテクター及びこれらの組み合わせからなる群から選択される一種または複数の更に別の成分（Ｆ）を更に含む。
【誤訳訂正２】
【訂正対象書類名】明細書
【訂正対象項目名】００７８
【訂正方法】変更
【訂正の内容】
【００７８】
【化１０】
2018536672.tif 000001
式中、
Ｒは、炭素原子数３〜３０の線状または分岐状アルキルまたはアルケニル基である。少なくとも一つの態様において、Ｒは炭素原子数３〜３０のアルキル基である。少なくとも一つの態様において、Ｒは、線状または分岐状であることができ及び好ましくは線状または分岐状である炭化水素鎖中に３〜２０個の炭素原子を有することができる、飽和脂肪族炭化水素基である。分岐状とは、メチル、エチルまたはプロピルなどの低級アルキル基が、線状アルキル鎖上の置換基として存在することを意味する。少なくとも一つの態様において、Ｒは、１−プロピル、２−プロピル、１−ブチル、２−ブチル、２−メチル−１−プロピル（イソブチル）、２−メチル−２−プロピル（ｔｅｒｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、１−ヘプチル、１−オクチル、１−ノニル、１−デシル、１−ウンデシル、１−ドデシル、１−テトラデシル、１−ヘキサデシル及び１−オクタデシルからなる群から選択される。適当な脂肪Ｎ−メチル−Ｎ−グルカミド界面活性剤は、ＷＯ２０１３／１７８７００及びＥＰ０５５０６３７に記載されている。これらの文献の内容は本明細書中に掲載されたものとする。少なくとも一つの態様において、該Ｎ−メチル−Ｎ−グルカミド界面活性剤は、ＲがＣ１２アルキルまたはＣ１４アルキルである式（Ｘ）に相当するものから選択される。少なくとも一つの態様において、該Ｎ−メチル−Ｎ−グルカミド界面活性剤は、ＲがＣ１６アルキルまたはＣ１８アルキルである式（Ｘ）に相当するものから選択される。
【手続補正書】
【提出日】令和1年12月5日(2019.12.5)
【手続補正１】
【補正対象書類名】明細書
【補正対象項目名】発明の名称
【補正方法】変更
【補正の内容】
【発明の名称】抗ＰＤ−Ｌ１抗体アベルマブを含む水性医薬製剤
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
一般式（Ｉ）：
【化１】
2018536680.tif 000001
［式中、
Ｒ１およびＲ２の基は、互いに独立して、Ｃ１３〜Ｃ４０飽和直鎖状アルキル基を表す。］
を有する１，３ジグリセリド、および皮膚への局所適用のための少なくとも１つの化粧賦形剤または皮膚用賦形剤を含んでなる、局所的な化粧用または皮膚用の組成物。
【請求項２】
前記Ｒ１およびＲ２の基が、互いに独立してＣ１５〜Ｃ２３飽和直鎖状アルキル基を表す、請求項１に記載の組成物。
【請求項３】
前記Ｒ１およびＲ２の基が、互いに独立してＣ１５〜Ｃ１９飽和直鎖状アルキル基を表す、請求項１に記載の組成物。
【請求項４】
前記Ｒ１およびＲ２の基が同一である、請求項１〜３のいずれか一項に記載の組成物。
【請求項５】
前記１，３ジグリセリドが、１，３ジパルミチン酸グリセリル、１，３ジステアリン酸グリセリルまたはそれらの混合物である、請求項１に記載の組成物。
【請求項６】
１，３ジグリセリドの量が、組成物の合計重量に対して、０．５重量％〜１０重量％である、請求項１〜５のいずれか一項に記載の組成物。
【請求項７】
１，３ジグリセリドが、分散した固体粒子の形態で組成物中に存在している、請求項１〜６のいずれか一項に記載の組成物。
【請求項８】
皮膚の保護に使用するための、請求項１〜７のいずれか一項に記載の組成物。
【請求項９】
皮膚バリアの弱体化対策に使用するための、請求項１〜７のいずれか一項に記載の組成物。
【請求項１０】
皮膚バリアの弱体化に続く皮膚内への外因性分子の透過を防止または低減するために使用するための、請求項１〜７のいずれか一項に記載の組成物。
【請求項１１】
前記皮膚バリアが、環境的要因の影響下で弱体化する、請求項９または１０に記載の使用のための組成物。
【請求項１２】
前記環境的要因が、冷えまたは熱である、請求項１１に記載の使用のための組成物。
【請求項１３】
皮膚の保護を目的とした局所的な化粧用または皮膚用の組成物の製造のための、一般式（Ｉ）：
【化２】
2018536680.tif 000002
［式中、
Ｒ１およびＲ２の基は、互いに独立して、Ｃ１３〜Ｃ４０飽和直鎖状アルキル基を表す。］
を有する１，３ジグリセリドの使用。
【請求項１４】
皮膚バリアの弱体化対策を目的とした局所的な化粧用または皮膚用の組成物の製造のための、一般式（Ｉ）：
【化３】
2018536680.tif 000003
［式中、
Ｒ１およびＲ２の基は、互いに独立して、Ｃ１３〜Ｃ４０飽和直鎖状アルキル基を表す。］
を有する１，３ジグリセリドの使用。
【請求項１５】
皮膚バリアの弱体化に続く皮膚内への外因性分子の透過の防止または低減を目的とした局所的な化粧用または皮膚用の組成物の製造のための、一般式（Ｉ）：
【化４】
2018536680.tif 000004
［式中、
Ｒ１およびＲ２の基は、互いに独立して、Ｃ１３〜Ｃ４０飽和直鎖状アルキル基を表す。］
を有する１，３ジグリセリドの使用。
【請求項１６】
前記皮膚バリアが、環境的要因の影響下で弱体化する、請求項１４または１５に記載の使用。
【請求項１７】
前記環境的要因が、冷えまたは熱である、請求項１６に記載の使用。
【請求項１８】
前記Ｒ１およびＲ２の基が、互いに独立してＣ１５〜Ｃ２３飽和直鎖状アルキル基を表す、請求項１３〜１７のいずれか一項に記載の使用。
【請求項１９】
前記Ｒ１およびＲ２の基が、互いに独立してＣ１５〜Ｃ１９飽和直鎖状アルキル基を表す、請求項１３〜１７のいずれか一項に記載の使用。
【請求項２０】
前記Ｒ１およびＲ２の基が同一である、請求項１３〜１９のいずれか一項に記載の使用。
【請求項２１】
前記１，３ジグリセリドが、１，３ジパルミチン酸グリセリル、１，３ジステアリン酸グリセリルまたはそれらの混合物である、請求項１３〜１７のいずれか一項に記載の使用。